(57)【要約】【課題】建物壁に沿わせて配設する竪樋にすっきりとした良好な外観を現出するものでありながら、漏水も防止しつつ良好なメンテナンス性能を確保できる竪樋の接続構造を提供する。【解決手段】筒状の内継手３の上部に竪樋１の内径と略同じ外径を有する上接続部５を設ける。内継手３に竪樋１の外径と略同じ外径を有する竪樋止め凸部７を設ける。上側の竪樋１ａの下端面を竪樋止め凸部７の上面７ａに当てるように内継手３の上接続部５を上側の竪樋１ａの下端部に内側から嵌合する。建物壁２に取り付けた竪樋支持具４の竪樋支持環部９の内周面に周方向に亙って弾性パッキン１０を設ける。少なくとも上接続部５と上側の竪樋１ａの下端部との継ぎ目Ａ１にその外側から弾性パッキン１０を被覆封止させる。【選択図】図１
2009127386.tif 000002
【特許請求の範囲】
【請求項１】
建物壁に沿って配設される上下に隣接する竪樋同士を接続する竪樋の接続構造であって、筒状の内継手の上部と下部に竪樋の内径と略同じ外径を有する上接続部と下接続部を設けると共に上接続部と下接続部との間に竪樋の外径と略同じ外径を有する竪樋止め凸部を設け、上側の竪樋の下端面を竪樋止め凸部の上面に当てるように内継手の上接続部を上側の竪樋の下端部に内側から嵌合すると共に、下側の竪樋の上端面を竪樋止め凸部の下面に当てるように内継手の下接続部を下側の竪樋の上端部に内側から嵌合し、建物壁に建物取付部を取り付けた竪樋支持具に該建物取付部から突設した竪樋支持環部を設けると共に、この竪樋支持環部の内周面に周方向に亙って弾性パッキンを設け、少なくとも上接続部と上側の竪樋の下端部との継ぎ目にその外側から弾性パッキンを被覆封止させて竪樋支持環部で竪樋を支持したことを特徴とする竪樋の接続構造。
【発明の詳細な説明】
【技術分野】
【０００１】
本発明は、竪樋の接続構造に関するものである。
【背景技術】
【０００２】
竪樋１は建物壁２に取り付けた竪樋支持具４によって支持されて建物壁２に沿わせて配設される。一般に、竪樋支持具４は、建物壁２に取り付ける建物取付部８と、建物取付部８から外方に突設した竪樋支持環部９とを有しており、竪樋支持環部９を竪樋１にその外側から嵌合させることで、竪樋１を支持する。
【０００３】
また従来から、上下に隣接する竪樋１ａ，１ｂ同士は、図４のように継手材２０を用いて接続される（たとえば特許文献１参照）。図４の竪樋１の接続構造にあっては、接続した竪樋１間から水の漏れ出しを生じさせないように下側部材を上側部材の外側から被せるような構造が採用され、具体的には、継手材２０の上部に設けた大径の上接続部５´を上側の竪樋１ａの下端部にその外側から嵌合すると共に、継手材２０の下部に設けた下接続部６を下側の竪樋１ｂの上端部にその内側から嵌合している。
【０００４】
この図４の竪樋１の接続構造によると、上側の竪樋１ａに流れる排水を下側の竪樋１ｂで漏れなく受けるようにでき、接続した竪樋１間からの水の漏れ出しを生じないようにはできるが、上側の竪樋１ａの下端部の外側を覆う継手材２０の大径の上接続部５´が竪樋１の外径に凹凸を形成する凹凸形成部２１となってしまい、同じく竪樋支持環部９による竪樋１の外径への凹凸も相俟って、竪樋１の外径への頻繁な凹凸によって、竪樋１にすっきりとした良好な外観を現出できない問題があった。
【０００５】
ここで、竪樋１にすっきりとした良好な外観を現出させるべく、図５のような竪樋１の接続構造も提案されている（たとえば特許文献２参照）。つまり、この図５の竪樋１の接続構造では、先例の上接続部５´を採用せず、継手材２０の上接続部５を上側の竪樋１ａの下端部にその内側から嵌合する構造が採用されており、凹凸形成部２１を形成させずに竪樋１にすっきりとした良好な外観を現出できるという利点はある。
【０００６】
しかしながら、この図５の竪樋１の接続構造では、先の図４の例のような上側の竪樋１ａに流れる排水を下側の竪樋１ｂで漏れなく受け得る構造では無くなり、つまり、継手材２０の上接続部５と上側の竪樋１ａの下端部との継ぎ目Ａ１から水の漏れ出しが発生する恐れが強い。そのため、上下に隣接する竪樋１間からの水の漏れ出しを生じさせないために、この例では継手材２０の上接続部５と上側の竪樋１ａの下端部との継ぎ目Ａ１を接着剤２２で隙間無く接着させている（なおこの例では、継手材２０の下接続部６と下側の竪樋１ｂの上端部との継ぎ目Ａ２も接着剤２２で隙間無く接着させている）。このように継手材２０と竪樋１を接着させると、竪樋１の一部が破損した等で一部の竪樋１を交換する必要が生じた際に、一部の竪樋１のみを取り外して交換することができなくなるものであり、メンテナンス性能に欠けるという問題があった。
【特許文献１】特開平９−１２５６３６号公報
【特許文献２】実開平６−１４３２７号公報
【発明の開示】
【発明が解決しようとする課題】
【０００７】
本発明は上記の点に鑑みてなされたものであり、その目的とするところは、建物壁に沿わせて配設する竪樋にすっきりとした良好な外観を現出するものでありながら、漏水も防止しつつ良好なメンテナンス性能を確保できる竪樋の接続構造を提供することを課題とするものである。
【課題を解決するための手段】
【０００８】
上記課題を解決するために請求項１に係る発明にあっては、建物壁２に沿って配設される上下に隣接する竪樋１ａ，１ｂ同士を接続する竪樋１の接続構造であって、筒状の内継手３の上部と下部に竪樋１の内径と略同じ外径を有する上接続部５と下接続部６を設けると共に上接続部５と下接続部６との間に竪樋１の外径と略同じ外径を有する竪樋止め凸部７を設け、上側の竪樋１ａの下端面を竪樋止め凸部７の上面７ａに当てるように内継手３の上接続部５を上側の竪樋１ａの下端部に内側から嵌合すると共に、下側の竪樋１ｂの上端面を竪樋止め凸部７の下面７ｂに当てるように内継手３の下接続部６を下側の竪樋１ｂの上端部に内側から嵌合し、建物壁２に建物取付部８を取り付けた竪樋支持具４に該建物取付部８から突設した竪樋支持環部９を設けると共に、この竪樋支持環部９の内周面に周方向に亙って弾性パッキン１０を設け、少なくとも上接続部５と上側の竪樋１ａの下端部との継ぎ目Ａ１にその外側から弾性パッキン１０を被覆封止させて竪樋支持環部９で竪樋１を支持したことを特徴とする。
【０００９】
これによると、内継手３の上接続部５及び下接続部６を上側及び下側の各竪樋１ａ，１ｂの内側から嵌合させたので、内継手３が竪樋１の外側に重なる部位を形成することなく、また、上側及び下側の各竪樋１ａ，１ｂの間には内継手３の竪樋止め凸部７が外方へ露出するが竪樋止め凸部７と竪樋１とは略面一に連続するので、竪樋支持具４を介して竪樋１を建物壁２に沿わせて配設した外観にすっきりとした良好な外観を現出できる。ここで、内継手３が上側の竪樋１ａの外側に重なる部位を形成しないため、そのままだと上接続部５と上側の竪樋１ａの下端部との継ぎ目Ａ１から漏水する恐れがある。しかしながら、上接続部５と上側の竪樋１ａの下端部との継ぎ目Ａ１は、上側の竪樋１ａの内継手３への挿入止めとなる内継手３の竪樋止め凸部７の上面７ａと上側の竪樋１ａの下端面との間に形成される微小で安定形成される隙間で構成されるものであり、この内継手３の上接続部５と上側の竪樋１ａの下端部との継ぎ目Ａ１には、竪樋支持具４の竪樋支持環部９の内周面に周方向に亙って設けた弾性パッキン１０が、その外側から被覆封止されたので、上接続部５と上側の竪樋１ａの下端部との継ぎ目Ａ１からの漏水の恐れを払拭できる。そして、この内継手３及び竪樋支持具４を用いた竪樋１ａ，１ｂ同士の接続構造では竪樋１ａ，１ｂ同士の接続に接着剤２２を使用しないで済み、竪樋１の取り外しが可能になって良好なメンテナンス性能を確保できる。
【発明の効果】
【００１０】
本発明にあっては、建物壁に沿わせて配設する竪樋にすっきりとした良好な外観を現出するものでありながら、漏水も防止しつつ良好なメンテナンス性能を確保できる、という利点を有する。
【発明を実施するための最良の形態】
【００１１】
以下、本発明を添付図面に示す実施形態に基いて説明する。
【００１２】
本例の竪樋１の接続構造は、図１のように、建物壁２に沿って配置される直管状の竪樋１を一直線状に連続させて接続する構造である。上下に隣接する竪樋１ａ，１ｂ同士は内継手３や竪樋支持具４を用いて接続される。
【００１３】
内継手３は、図２のように、筒形状に形成され、内継手３の上部には上側の竪樋１ａの下端部にその内側から嵌合する上接続部５が設けられ、内継手３の下部には下側の竪樋１ｂの上端部の下端部にその内側から嵌合する下接続部６が設けられている。詳しくは、内継手３の上接続部５及び下接続部６は竪樋１の内径と略同径の外径寸法を有している。また、内継手３における上接続部５と下接続部６との間の上下中央部には、その外径が竪樋１の外径と略同じ寸法に形成された竪樋止め凸部７が設けられている。この竪樋止め凸部７は、上接続部５や下接続部６の外周面から外方へ突出する凸条部位であり、上接続部５に臨む上面７ａと下接続部６に臨む下面７ｂとを有している。
【００１４】
竪樋支持具４は、図３のように、建物壁２に沿わせて取り付ける建物取付部８と、建物取付部８から外方へ突設した環状の竪樋支持環部９とを有して形成される。竪樋支持環部９は、建物取付部８に連設された突出基端側の半弧部１１ａに対して突出先端側の半弧部１１ｂが蝶番１１ｃを介して回動自在に開閉する主体部１１と、主体部の内周面に亙って沿設された弾性パッキン１０とを有している。本例では主体部１１は硬質樹脂で製造され、弾性パッキン１０は軟質系エラストマーで製造されている。弾性パッキン１０で構成される竪樋支持環部９の内径は竪樋１の外径よりも若干小さく形成されており、竪樋支持環部９に竪樋１を支持させた際には弾性パッキン１０が竪樋１の外周面に沿って弾接するようにされている。
【００１５】
上下に隣接する竪樋１ａ，１ｂ同士を接続させるには、図１（ｂ）のように、上側の竪樋１ａの下端面を竪樋止め凸部７の上面７ａに当てるように内継手３の上接続部５を上側の竪樋１ａの下端部に内側から嵌合すると共に、下側の竪樋１ｂの上端面を竪樋止め凸部７の下面７ｂに当てるように内継手３の下接続部６を下側の竪樋１ｂの上端部に内側から嵌合する。上下に隣接する竪樋１ａ，１ｂ同士の間で内継手３の竪樋止め凸部７が外方へ露出するものの、内継手３の竪樋止め凸部７はその外径が竪樋１の外径と略同じ寸法に形成されているので、上下に隣接する各竪樋１ａ，１ｂと内継手３の竪樋止め凸部７の各外周面が略面一に連続するようになり、凹凸の無い良好な外観が現出される。
【００１６】
そして、上記内継手３にて仮接続状態にある竪樋１は、該仮接続部位を建物壁２に固定した竪樋支持具４の竪樋支持環部９に支持させることで、建物壁２に沿わせて配設される。このとき竪樋支持環部９の弾性パッキン１０が、少なくとも上接続部５と上側の竪樋１ａの下端部との継ぎ目Ａ１を被覆封止させる。なお本例では、弾性パッキン１０は下接続部６と下側の竪樋１ｂの下端部との継ぎ目Ａ２をも外側から被覆封止させている。
【００１７】
このように竪樋１は、内継手３を用いると共に建物壁２に取り付ける竪樋支持具４を利用することで、上下に隣接する竪樋１ａ，１ｂ同士を接続した状態で建物壁２に沿わせて配設される。このときには、内継手３の上接続部５及び下接続部６を上側及び下側の各竪樋１ａ，１ｂの内側から嵌合させたので、内継手３が竪樋１の外側に重なる部位（従来の凹凸形成部２１）を形成することがない。また、上側及び下側の各竪樋１ａ，１ｂの間には内継手３の竪樋止め凸部７が外方へ露出するが竪樋止め凸部７と竪樋１とは略面一に連続するので、竪樋支持具４の竪樋支持環部９による取り付けの支障にならず、更に言うと、この竪樋止め凸部７は最終的には竪樋支持具４の竪樋支持環部９で被覆されて見えなくなるのであって、図１（ａ）のように建物壁２に沿って配設された竪樋１にはすっきりとした良好な外観が現出されるのである。
【００１８】
ここで、内継手３が上側の竪樋１ａの外側に重なる部位（従来の凹凸形成部２１）を形成しない場合には、上接続部５と上側の竪樋１ａの下端部との継ぎ目Ａ１から上下に隣接する竪樋１間からの水の漏れ出しが発生する恐れが強い。しかしながら、本例では、上記のように上接続部５と上側の竪樋１ａの下端部との継ぎ目Ａ１は、竪樋支持具４の弾性パッキン１０で被覆封止してあるため、該継ぎ目Ａ１からの水の漏れ出しを防止することができたのである。
【００１９】
そして、内継手３の上接続部５と上側の竪樋１ａの下端部との継ぎ目Ａ１からの水の漏れ出しを防止するのに、上記のように竪樋支持具４の弾性パッキン１０の該継ぎ目Ａ１への弾接による被覆にて行わせたので、従来の図５の例のように接着剤２２による封止手段を用いずに済み、竪樋１の一部が破損した等で一部の竪樋１を交換する必要が生じた際に、一部の竪樋１のみを取り外して交換することが容易にできるものであり、良好なメンテナンス性能を確保できるという利点を有するのである。
【図面の簡単な説明】
【００２０】
【図１】本発明の実施の形態の例の竪樋の接続構造であり、（ａ）は斜視図であり、（ｂ）は縦断面図である。
【図２】同上の内継手の斜視図である。
【図３】同上の竪樋支持具であり、（ａ）は斜視図であり、（ｂ）は平面図である。
【図４】従来技術の例の竪樋の接続構造を示す縦断面図である。
【図５】従来技術の他例の竪樋の接続構造を示す縦断面図である。
【符号の説明】
【００２１】
１  竪樋
１ａ  上側の竪樋
１ｂ  下側の竪樋
２  建物壁
３  内継手
４  竪樋支持具
５  上接続部
６  下接続部
７  竪樋止め凸部
７ａ  上面
７ｂ  下面
８  建物取付部
９  竪樋支持環部
１０  弾性パッキン
【図１】
2009127386.tif 000003
【図２】
2009127386.tif 000004
【図３】
2009127386.tif 000005
【図４】
2009127386.tif 000006
【図５】
2009127386.tif 000007